(57)【要約】      （修正有）【課題】パーキンソン患者、または微細運動能力を治療する必要のある子供の歩行訓練のためには、脚および身体全体の筋肉を鍛える必要がある。本発明は、生物の運動、特に人間の運動を促進するための歩行可能なタイルを提供する。【解決手段】タイル１は、その表面に強度の異なる箇所またはゾーンを有していることを特徴としている。その一例として、タイルの下面にチャンバを設ける。さらには、チャンバにインサートを挿入する。この場合、インサートは異なる強度または剛性を有する。剛性材料から作られたプレートの上に、柔軟な材料を部分的にコーティングすることによっても、強度の異なる箇所を実現できる。【選択図】図１
2010216226.tif 000002
【特許請求の範囲】
【請求項１】
タイル（１）が、その表面に強度の異なる箇所を有していることを特徴とする、生物の運動、特に人間の運動を促進するための歩行可能なタイル。
【請求項２】
前記タイル（１）が、その下面にチャンバ（１０）を有していることを特徴とする、請求項１に記載の歩行可能なタイル。
【請求項３】
前記チャンバ（１０）に、インサート（１１）が挿入可能であることを特徴とする、請求項２に記載の歩行可能なタイル。
【請求項４】
前記タイル（１）が、前記インサート（５、１１）を有し、前記インサートの強度が、残りの前記タイルの素材と異なっていることを特徴とする、請求項１〜３のいずれか一項に記載の歩行可能なタイル。
【請求項５】
前記タイル（１）がプラスチックから製造されていることを特徴とする、請求項１〜４のいずれか一項に記載の歩行可能なタイル。
【請求項６】
前記インサート（５、１１）が、柔軟なプラスチックから形成されていることを特徴とする、請求項１〜５のいずれか一項に記載の歩行可能なタイル。
【請求項７】
前記インサート（５）が、前記タイル（１）の素材で押出しコーティングされていることを特徴とする、請求項１〜６のいずれか一項に記載の歩行可能なタイル。
【請求項８】
前記タイル（１）が、その表面に起伏のある構造を有していることを特徴とする、請求項１〜７のいずれか一項に記載の歩行可能なタイル。
【請求項９】
実質的に剛性の材料からなる前記タイル（１）が、これと比較して柔軟な材料からなるコーティング（２０）と一緒に設けられていることを特徴とする、請求項１〜８のいずれか一項に記載の歩行可能なタイル。
【請求項１０】
前記コーティング（２０）の前記柔軟な材料が、異なる厚さを有していることを特徴とする、請求項９に記載の歩行可能なタイル。
【請求項１１】
前記タイル（１）の面上に取り付けられた前記柔軟な材料が、異なる強度を有することを特徴とする、請求項９に記載の歩行可能なタイル。
【請求項１２】
請求項１〜１１のいずれか一項又は複数の項に記載の、複数のタイル（１）を備えるフロアライニング。
【請求項１３】
前記タイル（１）が、結合又は部分結合した状態で敷かれていることを特徴とする、請求項１２に記載のフロアライニング。
【発明の詳細な説明】
【技術分野】
【０００１】
本発明は、生物の運動、特に人間の運動を促進するための歩行可能なタイルに関する。
【背景技術】
【０００２】
パーキンソン患者は、外見上における四肢の過剰な震えによって特徴づけられるばかりでなく、さらに、動きの調整及び平衡感覚においても障害をもっている。特に、先端運動失調及び平衡感覚障害により、多くのパーキンソン患者、特に病気の進行した段階にある患者には、歩行することによって前に移動する自信が失われる。また運動不足により、全身の筋肉、ここでは特に下腿部の筋肉が萎縮する。パーキンソン患者の運動を促進するためには、補助手段、例えば、手すり又は周知の歩行器を使って患者を歩行させることがすでに知られている。しかしながら、このようなパーキンソン患者には、歩行器又は手すりを用いた訓練をしても、こうした補助手段なしに自分だけで歩行するための十分な自信はつけられない。このことは、ほとんどの地面が、実質的に、ある程度の凹凸を有していることに基づいており、パーキンソン患者がこのような凹凸の上を歩く場合、すなわち、一方の足を他方の足の前に置く場合に平衡性を失うという危険が生じる。
【０００３】
上述したように、欠陥のある訓練のために、パーキンソン患者には自分自身で前進するために必要な体の筋肉もまた不足している。この場合の筋肉には、まず初めに挙げられる脚の筋肉（ここでは下腿部の筋肉）だけでなく、歩行動作の間、身体を安定させるために必要な身体全体の筋肉も含まれる。
【０００４】
ＥＰ１７４３９８９Ａ１から、起伏のある表面を有する、冒頭に述べた種類の歩行可能なタイルが周知である。このような、起伏のある構造をもつ歩行可能なタイルの上を歩くパーキンソン患者は、歩行動作の際、ある程度の安全性を達成することが明らかになった。場合によっては数センチメートルの高低差を有する山と谷を備えた起伏のある構造によって、その上を歩く患者に視覚的な刺激が与えられ、患者は、それらの刺激を処理する際に、どのようにしてこうした不均一な地面を歩いて渡るべきか考えなければならない。特に、視覚的刺激とそれに対応する身体的な刺激との組合せは、パーキンソン患者の運動と固有受容感覚ばかりでなく、子供の運動と固有受容感覚をも促進する。
【先行技術文献】
【特許文献】
【０００５】
【特許文献１】ＥＰ１７４３９８９Ａ１
【発明の概要】
【０００６】
すでに別の箇所で述べたように、このような起伏のあるタイル構造は、患者の視覚的刺激を呼び起こす。しかし、このことはまた、その患者又は微細運動能力を治療する必要のある子供が、起伏のある構造に視覚的に適応していることも意味している。患者、ここでは特にパーキンソン患者にとって、日常生活の中における動作では、結局、その周辺にも注意を払う必要があるため、地面に対して常に視覚的に適応することは不可能である。つまり、患者の運動は、視覚的刺激によってのみ制御されるのではなく、患者は、これとは無関係に、偶然変化する地面に対して適応することも学ばなければならない。
【０００７】
特に、本発明に基づいて、冒頭に述べた種類の歩行可能なタイルが提案され、これは、タイルの表面が、強度の異なる箇所又はゾーンを有していることを特徴としている。すなわち、そのようなタイルは、その表面が柔らかいか又は硬いか、様々に異なっている。このことは、このようなタイル又はタイルの結合物の上を歩く患者には、少なくともどの部分が柔らかのか硬いのか、視覚的に認識することができないことを意味している。したがって、患者は、様々な箇所で他の箇所よりも深く沈み込み、そのことにより、あらかじめ患者が視覚的に予想することのできなかった、足の不均衡が生じる。その点において、患者は、地面に適応することができない。しかし、このことはまた、患者が自分の固有受容感覚だけを頼りにしなければならないことも意味する。
【０００８】
本発明の有利な特徴及び実施形態は、従属請求項から生じる。
【０００９】
特に、このタイルは、インサートを有するように準備されており、この場合、インサートの強度又は硬さは、様々な圧縮強さを作り出すために、残りのタイルの材料とは異なっている。この場合、重要なことは、強度の違いが視覚的に認識できないことである。この点において、柔らかい部分と硬い部分とを、タイル表面の範囲内で視覚的に区別することはできない。
【００１０】
別の変更例によれば、タイルは、その下面にチャンバを有するように準備することができ、この場合、タイルの下面にチャンバを設けることだけで、様々な強度の箇所を用意することが可能となる。しかしまた、チャンバにインサートを挿入するという方法もあり、この場合、インサート自体が異なる強度又は剛性を有し、例えば柔軟発泡プラスチックなどから作られている。
【００１１】
もう１つの変更例では、実質的に剛性材料から作られたプレートが、これと比較して柔軟な材料からなるコーティングを少なくとも部分的に施されている。特に、この柔軟な材料が様々な厚さである場合、それによって同様に、強度の異なる箇所がタイル上に生じる。この関連において、さらに、タイル上に取り付けられた、タイルの材料に比べてより柔軟な材料は、タイル表面で様々な強度を有することになる。これによって、タイル自体が沈み込み深さの異なったゾーンを有することが可能となる。
【００１２】
本発明のさらなる特徴によれば、タイルがプラスチックから製造され、有利な場合には、すでに説明したように、インサートが柔軟なプラスチックから形成されており、さらに有利な場合は、このインサートが、製造時にタイルの素材で押出しコーティングされている。
【００１３】
特殊な実施形態では、タイルの表面が起伏のある構造を有している。すなわち、起伏のある構造が、タイル内の強度又は柔軟性の異なる箇所と組み合わされている。したがって、タイル上の強度の異なる部分と合わせて、タイルの凹凸を組み合せることにより、微細運動能力が飛躍的に活性化され、個々において実際にそうであるとすれば、すでに研究では明らかになっているように、このことが治療の成功に大きく貢献する。
【００１４】
本発明の対象は、これまでに説明した種類のタイルを複数備えるフロアライニングでもあり、有利な場合は、これらのタイルが結合又は部分結合した状態で敷かれている。
【発明を実施するための形態】
【００１５】
次に、図を用いて本発明を実施例に従い説明する。
【図面の簡単な説明】
【００１６】
【図１】本発明に基づく種類の複数のタイルからなる結合物。
【図２】このような種類の歩行可能なタイルの断面図
【図３】下面に配置されたチャンバを備えるタイル。
【図４】柔軟な材料からなるコーティングを備えるタイル。
【００１７】
図１から分かるように、複数のタイルからなる結合物であるタイル１は、起伏のある構造を有している。この起伏のある構造２は、山２ａと谷２ｂとを含んでいる。タイルの結合は、この場合、互いに接触している状態にあるタイルが、それらの表面に段を生じることなく移行するように行われている。
【００１８】
本発明の対象は、例えば起伏のある構造を備える、図１によるタイルの形態であり、この場合、タイルは強度の異なる箇所を有している。例えばエラストマーなどのプラスチックからなるタイルがインサート５を有し、このインサート５は、周りを取り囲むタイルの材料よりも柔らかいか、又は硬いことによって、残りのタイルとは異なっている。この点では、本発明の対象が、このような起伏のある表面のないタイルでもあることが指摘されるであろう。
【００１９】
図３は、起伏のある表面を備える歩行可能なタイルの形態を示し、この場合、タイルは、柔らかい材料１１が配置されたチャンバ１０を下面に有している。これによって、タイルの上を歩く際に、沈み込み深さの異なる箇所が生じるか、又は別の言い方をすれば、強度の異なる箇所が生じる。この場合、タイルの材料は、チャンバが下面に配置されているにもかかわらず、その材料ゆえに、力が作用した場合にタイル自体の変形が不可能なほど剛性ではないこと、又は硬くないことを確実にしなければならない。
【００２０】
図４は、起伏のあるタイルにコーティング２０が施された、もう１つの変更例を示している。このコーティングは、タイルの材料と比べて小さい強度を有し、特にこの場合、表面を覆うコーティング２０が異なる強度を有しており、負荷の際には、異なった沈み込み深さが生じる。このことは、このようなタイルの上を歩く人に対し、強度の異なる箇所が生じることを意味している。
【図１】
2010216226.tif 000003
【図２】
2010216226.tif 000004
【図３】
2010216226.tif 000005
【図４】
2010216226.tif 000006